(57)【特許請求の範囲】
【請求項１】
生体情報測定装置であって、
皮下に穿刺可能であって、前記生体情報を当該情報に起因する電気情報として検出可能な電極部と、
当該電極部によって検出される電気情報に基づいて前記生体情報を得るのに必要な電極特性情報を保持する手段と、を有する交換可能なセンサ部を備える、装置。
【請求項２】
前記電極部は、配線パターンを有する基板上に搭載されるとともに、基板上の配線パターンの一部を端子とし、前記電極特性情報保持手段は、前記配線パターンの他の一部である、請求項１に記載の装置。
【請求項３】
前記電極部の表面に測定しようとする特定物質に対して活性な酵素を含有する酵素層が設けられている、請求項１または２に記載の装置。
【請求項４】
前記電極部と皮下体液との間の電位格差を補償する電子メディエータ層を有し、
電極部の最外面に、当該電極部と皮下体液との間で特定物質以外の物質の移動を制限するカバー層を備えている、請求項３に記載の装置。
【請求項５】
生体情報測定装置に装着される交換可能なセンサであって、皮下に穿刺可能であって、前記生体情報を当該情報に起因する電気情報として検出可能な電極部と、
前記電極部によって検出される電気情報に基づいて、生体情報を得るのに必要な電極特性情報保持手段とを有する、センサ。
【発明の詳細な説明】
【０００１】
【発明の属する技術分野】
この発明は、血糖値などの生体情報を測定する装置及び生体情報を測定するためのセンサに関する。
【０００２】
【従来の技術】
健康診断や、糖尿病患者のインシュリンを用いた治療では、血液を採取して、血糖値や他の成分について測定する。特に糖尿病患者が、１日に数回のインシュリン投与を行う場合、患者自身が、手指等から血液を採取し、その血液を血糖値測定用の装置に導入して血糖値等の血中成分値を把握することが重要である。しかし、血液の採取及び測定は、血液採取時の肉体的苦痛を伴うとともに、操作も煩雑であるため、より苦痛が少なく簡便な血中成分値の測定手段が求められている。
一方、血中成分の測定装置においては、検出精度や感度の経時的劣化等の理由から、センサ部分は頻繁に取り替えられる。センサは、通常、特定成分を検出するが、センサの応答レベルはそのセンサごとに異なっている。したがって、特定成分の定量性を確保するためには、センサの特性に関する情報を装置本体の処理手段に認識させて、センサ特性に応じた演算処理や判定をさせる必要がある。従来では、交換用センサに添付される専用チップにセンサ特性に関する情報を記憶させておき、センサの交換の時に、使用者が測定装置に専用チップをセットして、装置本体にセンサ特性に関する情報を読み込ませていた。しかしながら、専用チップによる補正を忘れると、正しい測定ができない。また、センサの交換作業が煩雑となっている。
【０００３】
【発明が解決しようとする課題】
そこで、本発明では、簡便な操作で正確な測定が可能な生体情報測定装置を提供することを課題とする。
また、本発明では、簡便な操作で正確な測定が可能な生体情報測定用センサを提供することを課題とする。
【０００４】
【課題を解決するための手段】
上記課題を解決するため、本発明では、生体情報測定装置であって、皮下に穿刺可能であって、前記生体情報を当該情報に起因する電気情報として検出可能な電極部と、当該電極部によって検出される電気情報に基づいて前記生体情報を得るのに必要な電極特性情報保持手段とを有する交換可能なセンサ部を備える、測定装置を提供する。
この測定装置のセンサ部は、検出部としての電極部と電極部で検出される電気情報から生体情報を得るのに必要な電極特性情報とを備えている。このため、このセンサ部を装置本体にセットすることで、センサ部の特性に応じて検出された電気情報を処理することができ、正確な生体情報を得ることができる。したがって、センサ部を交換しても、電極部の特性に関する情報を入力するための作業を必要とせず、簡便な操作で測定ができる。
【０００５】
また、本発明では、前記電極部は、配線パターンを有する基板上に搭載されるとともに、基板上の配線パターンの一部を端子とし、前記電極特性情報保持手段は、前記配線パターンの他の一部である装置を提供する。
この装置では、センサ部は、配線パターンを有する基板を有しており、この配線パターン上に電極部が搭載されて、電極部に電圧を印加したり、検出された電気情報を伝送したりする端子が、配線パターンで形成されている。また、電極特性情報保持手段は、基板上に設けられる配線パターンによって形成されている。このため、センサ部は、電極特性情報を備え、且つ単純な構成となっており、小型化も容易となっている。
【０００６】
また、前記電極部の表面に測定しようとする特定物質に対して活性な酵素を含有する酵素層が設けられていると、酵素と反応する皮下体液中の所定成分に関する検出情報が選択的に得られ、生体中の所定成分に関する値を測定することができるセンサとなる。
また、酵素層を備えるセンサ部において、前記電極部と皮下体液との間の電位格差を補償する電子メディエータ層を有し、電極部の最外面に、当該電極部と皮下体液との間で特定物質以外の物質の移動を制限するカバー層を備えていると、他の成分によって阻害されたり、他の成分にかかる電気情報が含まれたりすることが良好に抑制されて、所定成分に関する検出情報を精度良く検出できるセンサとなる。
【０００７】
また、生体情報測定装置に装着される交換可能なセンサであって、皮下に穿刺可能であって、前記生体情報を当該情報に起因する電気情報として検出可能な電極部と、前記電極部によって検出される電気情報に基づいて、生体情報を得るのに必要な電極特性情報保持手段とを有する、センサを提供する。
このセンサは、生体情報を検出するための電極部と、この電極部の特性に関する電極特性情報とを備えているため、このセンサを電極特性情報を読み取って電極特性に応じた検出情報の処理ができる測定装置にセットすることで、電極特性に応じた処理のために特別な作業をすることなく、正確な生体情報を得ることができる。
【０００９】
【発明の実施の形態】
次に本発明の実施の形態について、図面を参照しながら詳細に説明する。
次に、上記実施形態に基づいて作成したセンサを備える生体情報測定装置について図１〜４を参照して説明する。図１に示す生体情報測定装置１は、血糖値を測定するための装置で、本体部２とセンサ取り付け部１０と、センサ取り付け部１０に着脱可能に取り付けられるセンサ１１とを備えている。センサ取り付け部１０と本体部２とは、エネルギー及び信号の送受を可能とする伝送手段３によって連結されている。
【００１０】
図２に本発明の一実施の形態に係るセンサ１１を示す。センサ１１は、絶縁性材料から成る板状の基部２４を有し、基部２４上に、皮下に穿刺可能な複数の電極部４０ａ，４０ｂと、電極特性情報を有する情報保持体２２とを備えている。
【００１１】
電極部４０ａ，４０ｂは、皮下に穿刺可能に形成されており、皮下に穿刺された状態で皮下体液から生体の電気的情報を検出する検出部である。検出部を電極によって構成する場合、一種類の測定要素に対して、作用電極及び対電極として作用する２つの電極部、または作用電極、対電極及び参照電極として作用する３つの電極部が設けられる。
【００１２】
電極部４０ａ，４０ｂは、それ自体が皮下に穿刺可能となるように凸状に形成される。皮下に穿刺する際の痛みを低減するためには、電極部４０ａ，４０ｂは鋭利且つ微小に形成されていることが好ましい。具体的には、例えば、円錐状や角錐状とすることができ、また先端がテーパ状に形成された円柱状、角柱状等であっても良い。
【００１３】
電極部４０ａ，４０ｂは、導電性部材を備えており、皮下体液中に電圧をかけて所望の生体情報を測定できる公知の種々の構成とされている。導電性部材は、白金、金、銀などの貴金属材料のみから構成されていても良いし、銅、アルミニウム、鉄などの電気伝導性が良好な材料から成る部材表面に上記貴金属材料より成る皮膜が設けられた構成等とされても良い。
【００１４】
導電性部材は、例えば、皮下に穿刺可能な凸状に形成された絶縁性部材上に膜状に設けることができる。具体的には、凸状の絶縁性部材全体を被覆する皮膜状に成形することができる。また、絶縁性部材によって皮下に穿刺可能な凸状が成形される形態では、導電性部材は、凸状部分の先端からすそ野に向かって延びる複数の線条に設けることもできる。この形態では、１つの凸状部分に複数の電極部が形成される。
また、導電性部材は、直接皮下に穿刺可能な凸状に成形されても良い。導電性部材は、エッチング、鋳型成形、切削など公知の種々の方法によって皮下に穿刺可能な凸状に成形することができる。
【００１５】
図２に示すセンサ１１は、一種類の測定要素(糖)のみについて測定するセンサであり、２つの電極部４０ａ，４０ｂが設けられている。各電極部４０ａ，４０ｂは、図２に示すように、中実針状の導電性部材３４から構成されている。この中実針状の導電性部材３４は、例えば、棒状に形成された貴金属部材を所定の長さに切断し、その先端をテーパ状に切削することによって成形される。この導電性部材３４の成形方法は、より少ない工程で、皮下に穿刺できる程度の鋭利な先端を得ることが容易であるため、好ましい。
【００１６】
電極部４０ａ，４０ｂは、図３に例示するように、導電性部材３４の外面側に種々のコーティング、すなわち皮膜が設けられることによって、皮下体液中の所定の成分に係る電気的情報のみを検出可能に形成することができる。すなわち、導電性部材３４の外面に、種々の機能を備える層を付与することによって、所定の生体情報を良好に測定できる検出部に形成することができる。
【００１７】
皮下体液中の所定の成分に係る電気情報のみを検出するためには、所定の成分についての情報のみを抽出可能とする選択層が設けられる。選択層は、所定の物質のみと反応する酵素が密に並べられた酵素層や、測定しようとする所定の物質を透過し、この所定の物質の電位測定に影響を及ぼす物質を透過しない制限透過膜層とすることができる。酵素層に含有される酵素は、皮下体液中の特定物質と特異的に反応可能な種々の酵素から選択することができる。酵素は、基質、すなわち皮下体液中の特定物質と電子移動を伴う反応をするものを用いることが好ましい。また、酵素と基質との反応によって生成される物質が、電極部４０ａ，４０ｂとの間で素早く、且つ確実に電荷移動反応を起こすような酵素を用いても良い。例えば、糖(グルコース)の値を測定したい場合、グルコースオキシダーゼを付与することで、良好に糖に関する電気情報を検出することができる。
【００１８】
また、酵素層を付与した場合、電子メディエータ層を設けることが好ましい。電子メディエータ層は、電極部と皮下体液中の特定物質との間の過大な電位差を補償して電位を検出可能としたり、検出精度を向上させたりする層である。例えば、酵素層がグルコースオキシダーゼから成る場合は、電子メディエータとして、種々のフェロセン類を用いることができる。例えば、フェロセンカルボキシアルデヒド−アルブミン共有結合体が好ましい。
なお、電子メディエータ成分は、酵素と混合して酵素層中に含有させても良い。また、酵素と電子メディエータ成分とを混合した溶液を調整し、これを塗布することにより、実質的に酵素層と電子メディエータ層とが一層で構成されていても良い。
【００１９】
さらに、電極部４０ａ，４０ｂの外面には、種々のカバー層を設けることができる。カバー層は、電極部と皮下体液との間で特定物質以外の物質が移動することを制限する層である。すなわち、電極部４０ａ，４０ｂ側に皮下体液中の特定物質以外の成分が付着したり侵入することを制限したり、電極部４０ａ，４０ｂを構成する物質が皮下体液中に溶出したりすることを抑制する層とすることができる。したがって、カバー層を構成する材料は、皮下体液中の成分、例えばタンパク質等の電極部への付着を低減する材料、皮下体液中の成分による酵素の破壊を防止する材料、又は電極部を生体に対して無害化する材料等、目的に合わせた種々の材料から選択することができる。また、これらの２種以上を混合して用いたり、複数の材料を所望の順で積層状に設けても良い。
【００２０】
本実施形態では、図３に示すように、各導電性部材３４上に、酵素層３５、電子メディエータ層３７、カバー層３９が設けられている。酵素層３５は、グルコースオキシダーゼを含有している。電子メディエータ層３７は、フェロセンカルボキシアルデヒド−アルブミン共有結合体の一種であるフェロセンカルボキシアルデヒドを含有している。また、カバー層３９は、生体適合性が高く、且つタンパク質など皮下体液内の成分が付着しにくい高分子材料である２−メタクリロイルオキシエチル・ホスホリルコリン（MPC）から構成されている。
【００２１】
また、電極部４０ａ，４０ｂに測定しようとする特定物質に対して活性な酵素が設けられる形態では、電極部４０ａ，４０ｂは、少なくとも酵素が設けられた状態で電解処理されていることが好ましい。電解処理は、電極部４０ａ，４０ｂを電解溶液、典型的には電解水溶液に浸漬し、電圧を印加することで行うことができる。また、電解質成分が充満する電解質雰囲気中において電極部４０ａ，４０ｂに電圧を印加することによっても電解処理することができる。本実施形態のようにカバー層３９を設ける場合は、カバー層３９を付与した後であると、電極部４０ａ，４０ｂに付与された各層が安定に保持されるため、好ましい。例えば、グルコースオキシダーゼを酵素層３５に含有される酵素として用いる場合、ｐH７．４に調製されたリン酸緩衝液を電解質溶液として電解処理されていることが好ましい。酵素層３５を有し、電解処理された電極部４０ａ，４０ｂでは、酵素と導電性部材３４との間での電子の授受がスムーズで、測定感度が向上されている。
【００２２】
電極部４０ａ，４０ｂは、基部２４に固定されている。電極部４０ａ，４０ｂの基部２４への固定は、公知の種々の形態で良く、特に限定されない。例えば、電極部が絶縁性部材より成る部分を備える形態の場合は、電極部の絶縁性部材と基部２４とを一体に成形することで基部２４と電極部とを固定しても良い。この場合、電極部を構成する絶縁性部材表面に、導電性部材３４を直接皮膜状に設けることで、基部に電極部が一体化されたセンサとなる。この形態では、導電性部材を基部２４上まで延びる形状に設けることで、電極部の導電性部材の成形と同時に、電極部の端子を形成することができる。また、後で詳述する情報保持体を配線によって構成する場合は、電極の導電性部材と情報保持体とを同工程で設けることができる。
【００２３】
また、導電性部材３４が貴金属材料が凸状に成形されて成る形態では、基部２４の伝送部３０ａ，３０ｂ上に、溶着、ハンダ付け、接着剤による接着等によって固定することができる。
本実施形態では、図３に示すように、導電性部材３４の底部に凸状の取り付け部３４ａが形成されている。また、基部２４に、一対の貫通孔３３ａ，３３ｂ(いわゆるスルーホール)が設けられている。そして、貫通孔３３ａ，３３ｂから、それぞれ基部２４の一端部まで延びる配線が設けられて伝送部３０ａ，３０ｂが形成されている。伝送部３０ａ，３０ｂは、絶縁性の基部２４を基板として設けられた銅箔より成るプリント配線とすることができる。電極部４０ａ，４０ｂは、取り付け部３４ａが基部２４の貫通孔３３ａ，３３ｂに挿入されて情報保持体２２の裏面側からハンダ付けされることによって固定されている。このとき、伝送部３０ａ，３０ｂは、電極部４０ａ，４０ｂへ電圧を印加するとともに、検出情報を検出情報処理手段側に送信可能とされている。基部２４の端部に延びる伝送部３０ａ，３０ｂを構成する配線の端部は、出入力部３１ａ，３１ｂに形成されており、本明細書における「端子」に対応している。
【００２４】
このような出入力部を有する電極部を備えるセンサ１１は、プリント基板と切削等によって形成される導電性部材とを固着することによって簡単に製造することができる。また、プリント基板及び導電性部材を微小に形成することは、比較的容易であり、小型のセンサを容易に大量生産しやすい。
なお、本実施形態では、図３に示すように、カバー層３９が、電極部４０ａ，４０ｂ全体と、電極部４０ａ，４０ｂが固定されている基部２４の外面とを被覆するように設けられており、電極部４０ａ，４０ｂと皮下体液との間の物質の移動が制限されている。
【００２５】
本実施形態の基部２４は、電極特性情報を有する情報保持体２２を備えている。本明細書において、「電極特性情報」とは、それぞれの電極部の材質や電極部表面に設けられる各種層の材質や厚さ、疎密の程度等によって種々の特性が異なることによる検出感度の違いに関する情報である。すなわち、電極特性情報は、電極部の特性を示す数値や補正係数、予め決められたランクとすることができる。また、電極特性情報は、電極部で検出される電気情報（以下、単に「検出情報」ともいう）の処理方法やこの処理方法の補正方法等とすることができる。電極特性情報は、電気的、磁気的、光学的等種々の形式で記録しておくことができる。好ましくは、電極特性情報は電気的情報とされると、検出部分である電極部との一体化が容易となり、単純な構成にしやすい。
【００２６】
電極特性情報を備える情報保持体２２は、本発明の電極特性情報保持手段に対応し、例えば、バーコード、磁気記録媒体、電気回路などとすることができる。
電極特性情報を電気的情報として備える情報保持体２２は、例えば、図２に示すように、配線板を構成する基部２４上に設けられた複数の配線４１ａ〜ｃ，４２である。配線４１ａ〜ｃ，４２は、銅箔によって形成することができ、腐食法等公知の方法で設けることができる。すなわち、センサ１１は、絶縁性の基部２４を基板とする、いわゆるプリント基板などの配線板によって構成することができる。
【００２７】
基部２４の一面の半分には、同様の複数の配線４１ａ，４１ｂ，４１ｃと配線４２とが設けられている。複数の配線４１ａ，４１ｂ，４１ｃは、それぞれ異なる電極特性情報を構成しており、互いに絶縁されている。本実施形態では、配線４１ａ，４１ｂ，４１ｃは、センサの測定感度のランクを示す情報とすることができる。配線４２は、配線４１ａ〜ｃのいずれかに接続されて、その配線が構成する電極特性情報を測定装置に出力可能とする。各配線４１ａ，４１ｂ，４１ｃ及び配線４２は、本実施形態では、基部２４の一端部に並列された出入力部４３ａ，４３ｂ，４３ｃ及び４４を備えており、配線４１ａ〜ｃは、それぞれの出入力部４３ａ〜ｃの位置によって測定装置に対する電極特性情報となっている。図２に示すセンサ１１では、配線４１ａの出入力部４３ａと反対側の端部４５ａと配線４２の端部４６ａとが半田盛り等公知の方法で導通状態に接続されており、配線４１ａが構成する電極特性情報を出力可能に形成されている。
なお、配線４１ａ，４１ｂ，４１ｃは、ＩＣ、トランジスタ、コンデンサなどの種々の部品を備えていても良く、複雑な電極特性情報を有していても良い。
【００２８】
センサ取り付け部１０は、図２に示すセンサ１１を着脱可能に固定する部分である。センサ取り付け部１０は、特に図示しないが、配線４１ａ〜ｃ、４２によって構成されている電極特性情報を本体部２側に接続する電極特性情報入出力部と、電極部４０ａ，４０ｂに電圧を供給するとともに本体部２側に接続する検出情報入出力部とを備えている。かかる構成は、それぞれ配線４１ａ〜ｃ及び４２の出入力部４３ａ〜ｃ、４４、及び伝送部３０ａ，３０ｂの出入力部３１ａ，３１ｂと通電可能に接続される公知の種々の形態とされるため、詳細な説明は省略する。
【００２９】
また、センサ取り付け部１０には、センサ１１を皮下に穿刺された状態に安定に固定する固定部材１６が設けられている。固定部材１６は、センサ１１の電極部４０ａ，４０ｂが確実に皮下に穿刺されるように皮膚の所定の部位に検出部１０を固定する部材である。固定部材１６は、本実施形態では、可撓性部材で形成された吸着盤で、センサ取り付け部１０の中央部分から電極部４０ａ，４０ｂが突出する側に向かって徐々に径の大きくなるドーム型に形成されている。固定部材１６は、皮膚に押し当てられて、ドーム形状内部の空気が抜けることによって、皮膚面に吸着する。なお、固定部材は、円盤状に形成されて、周囲の皮膚に密着可能な粘着層が設けられた構成とされても良い。この形態ではセンサ１１は、固定部材の中央の空間に皮膚に穿刺可能に配置される。
【００３０】
本体部２は、血糖値の測定に係る種々の手段を備える部位であり、少なくともセンサ１１の電極部４０ａ，４０ｂで検出して得られる検出情報を、センサ１１の電極特性情報を利用して処理する検出情報処理手段を備えている。本実施形態の本体部２は、図４に示すようにＣＰＵ５２を備えており、ＣＰＵ５２が検出情報を処理する手段となっている。検出情報処理手段は、検出情報を演算、判定等の公知の種々の処理方法から選択される１つ又は複数を組合わせて処理する。そして、検出情報処理手段は、所定の値を求めたり、求めた値が基準を満たしているかどうかを判断したりする。
【００３１】
図４に示すように、ＣＰＵ５２は、公知の種々の形態のセンサ用インターフェース５４を通して、センサ１１と情報を送受信可能に接続される。ＣＰＵ５２は、センサ１１の電極部４０ａ，４０ｂに電圧が印可されることによって流れる電流値を受信することができ、且つセンサ１１が有する電極特性情報を受信することができる。
【００３２】
ＣＰＵ５２は、センサ１１の電極特性情報に応じて検出情報、すなわち電流値の処理方法が補正される構成となっている。ＣＰＵ５２の処理の補正形態は特に限定されない。例えば、センサ１１の情報保持体２２にＲＯＭ等が設けられてセンサ１１の測定感度に対応する補正方法が記録されて電極特性情報とされている場合は、電極特性情報に基づいて検出情報を処理する形態とすることができる。また、ＣＰＵ５２に予め複数の補正処理が記憶されており、センサ１１の電極特性情報に基づいて所定の補正処理がＣＰＵ５２において選択される形態でも良い。あるいは、ＣＰＵ５２に、別個の記憶装置が接続されて、センサ１１の電極特性情報に基づいてＣＰＵ５２が記憶装置中の所定の補正方法を抽出して検出情報を処理する形態とされていても良い。
【００３３】
本実施形態では、本体部２内にＣＰＵ５２とは別に記憶装置５６が設けられている。記憶装置５６は、センサ１１が保持するセンサの測定感度に関する情報に対応する補正方法を、例えば、補正回路Ａ，Ｂ，Ｃ…として備えている。
また、本実施形態の本体部２には、ＣＰＵ５２で処理された結果を音声、表示など任意の形態で測定者に報知する報知手段６０が設けられている。報知手段６０は、出力インターフェース５８を通してＣＰＵ５２に接続されている。
また、特に図示しないが、生体情報測定装置１に必要とされる、電源部、測定開始用スイッチなど、種々の機能を備えた制御手段や電源部などを有している。
【００３４】
この生体情報測定装置１を用いて生体情報（血糖値）を測定する方法について図１，４を参照しながら説明する。まず、センサ取り付け部１０にセンサ１１を装着する。センサ１１が本体部２側に接続されると、ＣＰＵ５２は、センサ用インターフェース５４を通して配線４１ａ及び４２で構成されている電極特性情報を受信する。ＣＰＵ５２は、受信した結果に基づいて、記憶装置５６に記憶されている所定の補正回路を選択する。
【００３５】
次に、固定部材１６を被測定者の上腕、腹部などの皮膚の所定部位に押し当てて皮膚面に吸着させて、センサ１１を皮膚上に固定する。そして、センサ１１の電極部４０ａ，４０ｂを皮膚に穿刺して皮下に配置する。電極部４０ａ，４０ｂの皮膚への穿刺は、固定部材１６によって行われても良いし、別の駆動部材によって行われても良い。あるいは、人が手によって所定部位まで押しつける方法でも良い。
【００３６】
その後、本体部２を操作して測定を開始する。ＣＰＵ５２は、電極部４０ａ，４０ｂに所定の電圧、又は電位差を変化させた電圧を印加する。このとき、電極部４０ａ，４０ｂ間には、電位差及び糖の濃度に依存して電流が流れる。ＣＰＵ５２は、電極部４０ａ，４０ｂ(検出部)を通じ、センサ用インターフェース５４を介して電流に関する情報（電気情報）を受信する。そして、この情報を、既に電極特性情報に基づいて選択されている補正回路を用いて処理する。ＣＰＵ５２によって、血糖値や、血糖値が基準を超えているかどうか、あるいは、投与すべきインシュリンの量などが求められる。
【００３７】
ＣＰＵ５２による処理結果は、出力インターフェース５８を通して、報知手段６０まで送信される。そして、報知手段６０が処理結果について表示、音声等で報知する。測定者は、この報知結果をもとに、現在の血糖値を把握したり、投与するインシュリンの量を決定したりすることができる。
【００３８】
この生体情報測定用装置１では、センサ１１に一体化されている電極特性情報を、センサ１１を装置本体のセンサ取り付け部１０に装着することで、電極特性情報が検出情報処理手段であるＣＰＵ５２に伝送可能に設けられる。このため、補正処理のために、測定者がセンサ１１の取り付けとは別の作業を行う必要がなく、補正が容易である。また、センサ１１を用いて、従来と同様に測定することで、ＣＰＵ５２は、確実にセンサ１１に対応する電極特性情報に基づいて補正された処理を行うことができる。このため、補正処理の誤りがなく、常に正しい測定値を得ることができる。また、従来のような補正用チップが必要とされないため、少ない部品点数で済む。
【００３９】
また、センサ１１の電極部４０ａ，４０ｂは、皮下に穿刺できる程度に十分微小に形成することができるため、皮下に穿刺することで生体内の皮下体液を直接測定して、所定成分に関する値、すなわち血糖値を得ることができる。このため、測定のために血液を採取する必要がなく、精神的な負担が軽減されている。また、血液を採取しないため、生体の任意の部位に電極部４０ａ，４０ｂを穿刺することができる。このため、痛みに対して鈍感な上腕や腹部などでの測定も可能であり、肉体的な苦痛が低減されている。
【００４０】
また、このような生体情報測定用装置１では、すぐに測定結果を得ることができるため、医者によって迅速な診断を行い得るとともに、被測定者の結果待ちの期間が短縮され、精神的負担が軽減される。
なお、本発明の生体情報測定用装置では、突起部の数を増大させることによって、複数の測定要素について同時に測定することができる。このため、複数の測定項目について、一回の操作で測定することができ、効率が良く、また、被測定者の肉体的苦痛及び精神的苦痛を軽減することができる。
また、本体部２に、処理手段で得られる処理結果を、電話回線等を通して外部機器等へ通信可能な通信手段を設けても良い。通信手段を設けることにより、遠隔地への測定結果の伝送や、測定結果の管理が容易となる。例えば、糖尿病患者が、本生体情報測定用装置を用いて自らの血糖値を測定し、その結果を病院の管理センターや医師に伝送することができ、測定結果の伝達がスムーズにおこなわれる。
【００４１】
なお、本発明は、上記実施形態に限定されるものではない。
生体情報測定用センサは、血糖値を検出するものに限定されず、従来血液、尿などを採取して測定している種々の成分について測定するセンサとすることができる。また、複数組の電極部を設けることによって、一度に複数種類の生体情報を検出できるセンサとすることもできる。また、電気情報は、電流値に限定されず、電極電位、電位差であっても良いのは、もちろんである。また、電流値を測定する場合において、電極部間に電圧を印加せずに、皮下に穿刺することのみによって、電流を検出する形態であっても良い。
【００４２】
生体情報測定装置では、検出情報処理手段（ＣＰＵ）に対するセンサの取付位置は、本実施形態に限定されない。センサ取り付け部が本体部と固定されて、一体化されている形態、例えば、装置全体が腕帯状に形成されて、上腕等に取り付けて測定できる形態でも良い。また、本実施形態のようにセンサがプリント基板で形成され、電極特性情報が配線又は配線等によって構成される場合、センサの電極特性情報保持手段が検出情報処理手段(ＣＰＵ)の基板中に組み込まれるように、センサが取り付けられる形態とされても良い。また、情報保持体は、本実施形態のように一平面上に設けられる形態に限定されず積層されていたり、筒状等の曲面上に設けられていたりしても良い。
【００４３】
また、補正が行われる工程は、上記実施形態に限定されない。例えば、測定が開始されて、検出情報処理手段が検出情報を受信してから、検出情報処理手段がセンサの電極特性情報を受信して補正方法が決定されても良い。
【００４４】
【発明の効果】
本発明では、簡便な操作で正確な測定が可能な生体情報測定装置を提供することができる。
また、本発明では、簡便な操作で正確な測定が可能な生体情報測定用センサを提供することができる。
【図面の簡単な説明】
【図１】本発明の一実施の形態に係る生体情報測定装置の平面図である。
【図２】本発明の一実施の形態に係る生体情報測定用センサを示す斜視図である。
【図３】図２のセンサの電極部の断面図である。
【図４】図１の測定装置の構成を示すブロック図である。
【符号の説明】
１  生体情報測定装置
２  本体部
３  伝送手段
１０  センサ取り付け部
１１  センサ
１６  固定部材
２２  情報保持体
２４  基部
３０ａ，３０ｂ  伝送部
３１ａ，３１ｂ  出入力部
３３ａ，３３ｂ  貫通孔
３４  導電性部材
３４ａ  取り付け部
３５  酵素層
３７  電子メディエータ層
３９  カバー層
４１ａ，４１ｂ，４１ｃ，４２  配線
４３ａ，４３ｂ，４３ｃ，４４  出入力部
４５ａ，４６ａ  端部
５２  ＣＰＵ
５４  センサ用インターフェース
５６  記憶装置
５８  出力インターフェース
６０  報知手段
【図１】
0003946516.tif 000002
【図２】
0003946516.tif 000003
【図３】
0003946516.tif 000004
【図４】
0003946516.tif 000005